(57)【要約】【課題】  構造が簡単であり、部品点数を追加する必要がなく、従来ジャックを固定していたビスを抹消できてコストダウンを図ることができ、取り付け工程を削減でき、ジャックの取り付け取り外しを簡単に行えるジャックの固定構造を提供する。【解決手段】  筐体内に配置された基板１のリヤパネル側に立設された状態で取り付けられたジャック２、２、２Ａを固定するようにしたジャックの固定構造において、ジャック２Ａは接続口２ａを上下２つ以上設けた背の高いジャック２Ａであり、樹脂製のトップケース３のジャック配置位置に、下向きにジャック２Ａの左右両側面に当接される左右２つの支持リブ４、４が垂設されると共にジャック２Ａの上面に当接してジャック２Ａを押さえ込む押付リブ５が垂設されており、これらの支持リブ４、４と押付リブ５によってジャック２Ａを固定するように構成した。【選択図】  図１
2007250486.tif 000002
【特許請求の範囲】
【請求項１】
筐体内に配置された基板のリヤパネル側に立設された状態で取り付けられたジャックを固定するようにしたジャックの固定構造において、前記ジャックは接続口を上下２つ以上設けた背の高いジャックであり、樹脂製のトップケースの前記ジャック配置位置に、下向きに前記ジャックの左右両側面に当接される左右２つの支持リブが垂設されると共に前記ジャックの上面に当接してジャックを押さえ込む押付リブが垂設されており、これらの支持リブと押付リブによって前記ジャックを固定するように構成したことを特徴とするジャックの固定構造。
【請求項２】
筐体内に配置された基板のリヤパネル側に立設された状態で取り付けられたジャックを固定するようにしたジャックの固定構造において、前記ジャックは接続口を上下２つ以上設けた背の高いジャックであり、樹脂製のトップケースの前記ジャック配置位置に、下向きに前記ジャックの左右両側面に当接される左右２つの支持リブが垂設されており、これらの支持リブによって前記ジャックを固定するように構成したことを特徴とするジャックの固定構造。
【請求項３】
前記支持リブの少なくとも一方に、前記ジャックの裏面に当接する小リブを設けた請求項２に記載のジャックの固定構造。
【発明の詳細な説明】
【技術分野】
【０００１】
本発明は、筐体内に配置された基板のリヤパネル側に立設された状態で取り付けられたジャックを固定するようにしたジャックの固定構造に関するものである。
【背景技術】
【０００２】
従来、この種のジャックの固定構造は、ジャックをリヤパネル側からビス止めして、ジャックを固定していた。従って、ビスを必要とし、部品点数が多くなりコストアップになるという問題があった。また、ビスを外すとジャックはプラグを抜き差しすること等でぐらついてしまうという問題があった。
【０００３】
第１の従来技術を図３（ａ）（ｂ）に示す。この従来のＤＣジャックの固定構造は、図３（ａ）（ｂ）に示すように、面実装型ＤＣジャック１１０の上方に配置される樹脂部品１２０の一部を、ＤＣジャック１１０を覆う被覆１２１形状とし、この被覆１２１の内面にＤＣジャック１１０の外面に当接するリブ１２２を設け、ＤＣジャック１１０をこじれに対して保護し、半田付け部１１１の損傷を防止する。（例えば、特許文献１参照）。
【０００４】
ところが、これにおいては、ＤＣジャック１１０が上側からと左右両側からリブ１２２が当接しているから、ＤＣジャック１１０の抜き差しが行いにくいという問題があった。
【０００５】
第２の従来技術を図４（ａ）（ｂ）に示す。この従来の電子機器のジャック取付構造は、図４（ａ）（ｂ）に示すように、電話機本体ケースに収容されたプリント配線基板等の基板２２０上に搭載されるジャック２３０は、電源プラグが差し込まれるプラグ挿入孔管２３３を有し、基板２２０上の配線パターン２２１に端子２３２を半田付けして電気的に接続される。この場合、基板２２０に切欠凹部２２２を設け、切欠凹部２２２に補強板２４０を係合させてジャック２３０の基板２２０に対する固定を強化する。補強板２４０は、基板２２０の切欠凹部２２２に密着して係合する横幅を有し、中心部にプラグ挿入孔管２３３に嵌合する貫通孔２４１を有し、また基板２２０に裏面から当接する係止フック部２４２を有している。補強板２４０は、係止フック部２４２による基板２２０への当接と、貫通孔２４１によるプラグ挿入孔管２３３との嵌合とにより切欠凹部２２２に密着して固定され、それによりジャック２３０の支持を強化する。（例えば、特許文献２参照）。
【０００６】
ところが、これにおいては、補強板２４０を必要とするために、部品点数が多いという問題があった。
【０００７】
第３の従来技術を図５（ａ）（ｂ）に示す。この従来のジャック装置は、図５（ａ）（ｂ）に示すように、回路基板３１３の突片３２８に切込み３２９を形成するとともに、この切込み３２９に切欠き３３２を形成し、ジャック３３０を切込み３２９内に配し、しかもジャック３３０の両側に設けられているリブ３３１を切欠き３３２内に収納する。そしてジャック３３０の端子３３３〜３３５を切込み３２９の周囲に設けられている接続用ランド３３６〜３３８に半田付けする。（例えば、特許文献３参照）。
【０００８】
ところが、これにおいては、ジャック３３０と回路基板３１３の形状が複雑であるという問題があった。
【０００９】
第４の従来技術を図６に示す。この従来の電子機器におけるジャック等の固定構造は、図６に示すように、互いに係合し開閉可能な下ケース４１０および上ケース４１５間に一部４０１ｂが突出するように配置され、プリント配線基板４０２に連結固定されたジャック４０１と、下ケース４１０または上ケース４１５に設けられたジャック４０１をはさみ込む箱状リブ４０４を設けるように構成する。（例えば、特許文献４参照）。
【００１０】
ところが、これにおいては、ジャック４０１が横向きに２つ並んだものであって、ジャック４０１が縦向きに２つ並んだものではなかった。
【００１１】
第５の従来技術を図７（ａ）（ｂ）（ｃ）に示す。この従来のジャックの固定装置は、図７（ａ）（ｂ）（ｃ）に示すように、プラグ５１１を差し込んで接続するジャック５１２を固定するジャックの固定装置において、プラグ５１１を介して過大な過重が加わっても１つのジャック５１２を固定するリブ５１５ａ、５１５ｂからなる固定部材を備えているものである。（例えば、特許文献５参照）。
【００１２】
ところが、これにおいては、ジャック５１２が１つのものであって、ジャックを上下２つ以上設けたものではなかった。また、ジャック５１２を取り外し難いという問題があった。
【特許文献１】特開２００４−８７１８８号公報
【特許文献２】特開平１０−１７２６７６号公報
【特許文献３】特開平６−６０９２７号公報
【特許文献４】実開平６−６８１８７号公報
【特許文献５】実開平１−６４８８０号公報
【発明の開示】
【発明が解決しようとする課題】
【００１３】
本発明は、上記従来の問題に鑑みてなされたものであって、構造が簡単であり、部品点数を追加する必要がなく、従来ジャックを固定していたビスを抹消することができてコストダウンを図ることができ、取り付け工程を削減することができ、ジャックの取り付け取り外しを簡単に行えるジャックの固定構造を提供することを目的としている。
【課題を解決するための手段】
【００１４】
本発明は、上記課題を解決するために提案されたものであって、請求項１に記載の発明は、筐体内に配置された基板のリヤパネル側に立設された状態で取り付けられたジャックを固定するようにしたジャックの固定構造において、前記ジャックは接続口を上下２つ以上設けた背の高いジャックであり、樹脂製のトップケースの前記ジャック配置位置に、下向きに前記ジャックの左右両側面に当接される左右２つの支持リブが垂設されると共に前記ジャックの上面に当接してジャックを押さえ込む押付リブが垂設されており、これらの支持リブと押付リブによって前記ジャックを固定するように構成したことを特徴としている。
【００１５】
請求項２に記載の発明は、筐体内に配置された基板のリヤパネル側に立設された状態で取り付けられたジャックを固定するようにしたジャックの固定構造において、前記ジャックは接続口を上下２つ以上設けた背の高いジャックであり、樹脂製のトップケースの前記ジャック配置位置に、下向きに前記ジャックの左右両側面に当接される左右２つの支持リブが垂設されており、これらの支持リブによって前記ジャックを固定するように構成したことを特徴としている。
【００１６】
請求項３に記載の発明は、請求項２に記載の発明において、前記支持リブの少なくとも一方に、前記ジャックの裏面に当接する小リブを設けたものである。
【発明の効果】
【００１７】
請求項１に記載の発明によれば、背の高いジャックをトップケースに設けた左右の支持リブと押付リブで固定しているから、従来ジャックを固定していたビスを抹消することができてコストダウンを図ることができ、取り付け工程を削減することができる。また、支持リブと押付リブはトップケースに一体に設けられているから、構造が簡単であり、部品点数を追加することがなく、コストダウンを図ることができる。更に、押付リブでジャックの上面を押さえ込んでいるので、ジャックがぐらつくことがない。また、ジャックを取り外す場合には、トップケースを外すだけでジャックを固定している支持リブと押付リブをジャックから外すことができるから、ジャックの取り付け取り外しを簡単に行うことができる。
【００１８】
請求項２に記載の発明によれば、背の高いジャックをトップケースに設けた左右の支持リブで固定しているから、従来ジャックを固定していたビスを抹消することができてコストダウンを図ることができ、取り付け工程を削減することができる。また、支持リブはトップケースに一体に設けられているから、構造が簡単であり、部品点数を追加する必要がなく、コストダウンを図ることができる。また、ジャックを取り外す場合には、トップケースを外すだけでジャックを固定している支持リブをジャックから外すことができるから、ジャックの取り付け取り外しを簡単に行うことができる。
【００１９】
請求項３に記載の発明によれば、支持リブの少なくとも一方に小リブを設け、この小リブをジャックの背面に当接させているから、ジャックがリヤパネルの反対側に倒れることを防ぐことができ、ジャックの固定を強固なものとすることができる。
【発明を実施するための最良の形態】
【００２０】
以下、本発明に係るジャックの固定構造の実施の形態について、図を参照しつつ説明する。
【００２１】
図１は本発明の第１実施形態のジャックの固定構造を示す斜視図である。
【００２２】
この第１実施形態のジャックの固定構造は、図１に示すように、ＤＶＤ等のリヤパネル（図示略）の内側に配置された基板１のリヤパネル側に接続口２ａが一つ設けられた背の低い両側のジャック２、２の間に接続口２ａが上下２つ設けられた背の高いジャック２Ａが取り付けられている。これらのジャック２、２、２Ａは基板１に穿設された係入孔１ａに脚部２ｂ、２ｂの下端の係止爪２ｃが係入係止されて基板１上に立設されている。樹脂製のトップケース３の下面には、背の高いジャック２Ａの左右両側面に当接される左右の支持リブ４、４が垂設されていると共に背の高いジャック２Ａの上面を押さえ込む押付リブ５が垂設されている。これらの支持リブ４、４と押付リブ５によって背の高いジャック２Ａは固定されている。
【００２３】
従って、この第１実施形態によれば、背の高いジャック２Ａをトップケース３に設けた左右の支持リブ４、４と押付リブ５で固定しているから、従来ジャックを固定していたビスを抹消することができてコストダウンを図ることができ、取り付け工程を削減することができる。また、支持リブ４、４と押付リブ５はトップケース３に一体に設けられているから、構造が簡単であり、部品点数を追加することがなく、コストダウンを図ることができる。更に、押付リブ５で背の高いジャック２Ａの上面を押さえ込んでいるので、ジャック２Ａがぐらつくことがない。また、ジャック２Ａを取り外す場合には、トップケース３を外すだけでジャックを固定している支持リブ４、４と押付リブ５をジャック２Ａから外すことができるから、ジャック２Ａの取り付け取り外しを簡単に行うことができる。
【００２４】
図２は第２実施形態のジャックの固定構造を示す斜視図である。尚、上記した第１実施形態と同一部材、同一箇所には同一符号を付して、その説明を省略する。
【００２５】
この第２実施形態のジャックの固定構造は、図２に示すように、支持リブ４の図における裏側に水平向きに小リブ４ａを設けて、この小リブ４ａを背の高いジャック２Ａの図にて裏面に当接している。
【００２６】
従って、この第２実施形態によれば、支持リブ４の小リブ４ａを背の高いジャック２Ａの背面に当接させているから、このジャック２Ａがリヤパネルの反対側に倒れることを防ぐことができ、ジャック２Ａの固定を強固なものとすることができる。
【図面の簡単な説明】
【００２７】
【図１】本発明の第１実施形態のジャックの固定構造を示す斜視図である。
【図２】第２実施形態のジャックの固定構造を示す斜視図である。
【図３】従来のＤＣジャックの固定構造を示し、（ａ）はその斜視図、（ｂ）はその断面図である。
【図４】従来の電子機器のジャック取付構造を示し、（ａ）はその取付前の分解斜視図、（ｂ）はその組み立てた状態の正面図である。
【図５】従来のジャック装置を示し、（ａ）はその組立前の状態を示す分解斜視図、（ｂ）はその組立後の平面図である。
【図６】従来の電子機器におけるジャック等の固定構造を示す一部断面した斜視図である。
【図７】従来のジャックの固定装置を示し、（ａ）はその部分側面断面図、（ｂ）はその部分正面断面図、（ｃ）はその斜視図である。
【符号の説明】
【００２８】
１        基板
１ａ      係入孔
２        背の低いジャック
２Ａ      背の高いジャック
２ａ      接続口
２ｂ      脚部
２ｃ      係止爪
３        樹脂製のトップケース
４        支持リブ
４ａ      小リブ
５        押付リブ
【図１】
2007250486.tif 000003
【図２】
2007250486.tif 000004
【図３】
2007250486.tif 000005
【図４】
2007250486.tif 000006
【図５】
2007250486.tif 000007
【図６】
2007250486.tif 000008
【図７】
2007250486.tif 000009